【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
入賞の発生により遊技点を付与する遊技機による遊技を可能とするための遊技用システムであって、
前記遊技点を記憶する遊技点記憶手段と、
前記遊技機に設けられ、前記遊技点を持点に変換するための変換操作を行なう変換操作手段と、
前記変換操作手段の操作が検出されたことに基づいて、前記遊技点を前記持点に変換するための変換処理を実行する変換処理手段と、
前記持点を記憶する持点記憶手段と、
前記持点を使用した持点使用処理を実行するための持点使用操作が検出されたことに基づいて、前記持点記憶手段に記憶されている前記持点から前記持点使用処理に必要な点数を減点する減点手段と、
前記持点使用処理の実行中に前記変換操作手段が操作されたときには、該持点使用処理の実行中における前記変換処理の実行を禁止する禁止手段と、
遊技場での営業の終了が設定される設定手段と、
前記設定手段により営業の終了が設定された場合に前記遊技点を前記持点に変換するための終了時変換処理を実行する終了時変換処理手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段をさらに含む、遊技用システム。
【請求項２】
入賞の発生により遊技点を付与する遊技機による遊技を可能とするための遊技点処理装置であって、
前記遊技機に設けられた変換操作手段により前記遊技機が記憶している前記遊技点を持点に変換するための変換操作が行なわれたことに基づいて、前記遊技点を前記持点に変換するための変換処理を実行する変換処理手段と、
前記持点を記憶する持点記憶手段と、
前記持点を使用した持点使用処理を実行するための持点使用操作が検出されたことに基づいて、前記持点記憶手段に記憶されている前記持点から前記持点使用処理に必要な点数を減点する減点手段と、
前記持点使用処理の実行中に前記変換操作が行なわれたときには、該持点使用処理の実行中における前記変換処理の実行を禁止する禁止手段と、
遊技場での営業の終了が設定される設定手段と、
前記設定手段により営業の終了が設定された場合に前記遊技点を前記持点に変換するための終了時変換処理を実行する終了時変換処理手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段をさらに含む、遊技点処理装置。
【請求項３】
入賞の発生により遊技点を付与する遊技機による遊技を可能とするための遊技用システムであって、
前記遊技点を記憶する遊技点記憶手段と、
前記遊技機に設けられ、前記遊技点を持点に変換するための変換操作を行なう変換操作手段と、
前記変換操作手段の操作が検出されたことに基づいて、前記遊技点を前記持点に変換するための変換処理を実行する変換処理手段と、
前記持点を記憶する持点記憶手段と、
前記持点を使用した持点使用処理を実行するための持点使用操作が検出されたことに基づいて、前記持点記憶手段に記憶されている前記持点から前記持点使用処理に必要な点数を減点する減点手段と、
前記持点使用処理の実行中に前記変換操作手段が操作されたときには、該持点使用処理の実行中における前記変換処理の実行を禁止する禁止手段と、
記録媒体を受付ける記録媒体受付手段と、
記録媒体処理操作を検出したときに、前記持点記憶手段に記憶されている前記持点を前記記録媒体受付手段で受付けた前記記録媒体から特定可能とする特定可能化処理を行い、前記記録媒体を返却する記録媒体返却手段と、
前記記録媒体処理操作を検出したときに、前記遊技点記憶手段に前記遊技点が記憶されている場合、前記遊技点を前記持点に変換するための前記変換操作を促す変換操作報知手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段をさらに含む、遊技用システム。
【請求項４】
入賞の発生により遊技点を付与する遊技機による遊技を可能とするための遊技点処理装置であって、
前記遊技機に設けられた変換操作手段により前記遊技機が記憶している前記遊技点を持点に変換するための変換操作が行なわれたことに基づいて、前記遊技点を前記持点に変換するための変換処理を実行する変換処理手段と、
前記持点を記憶する持点記憶手段と、
前記持点を使用した持点使用処理を実行するための持点使用操作が検出されたことに基づいて、前記持点記憶手段に記憶されている前記持点から前記持点使用処理に必要な点数を減点する減点手段と、
前記持点使用処理の実行中に前記変換操作が行なわれたときには、該持点使用処理の実行中における前記変換処理の実行を禁止する禁止手段と、
記録媒体を受付ける記録媒体受付手段と、
記録媒体処理操作を検出したときに、前記持点記憶手段に記憶されている前記持点を前記記録媒体受付手段で受付けた前記記録媒体から特定可能とする特定可能化処理を行い、前記記録媒体を返却する記録媒体返却手段と、
前記記録媒体処理操作を検出したときに、前記遊技機に前記遊技点が記憶されている場合、前記遊技点を前記持点に変換するための前記変換操作を促す変換操作報知手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段をさらに含む、遊技点処理装置。
【手続補正２】
【補正対象書類名】明細書
【補正対象項目名】０００８
【補正方法】変更
【補正の内容】
【０００８】
（１）  本発明は、入賞の発生により所定の遊技点（遊技玉、遊技点）を付与する遊技機（Ｐ台２、Ｓ台２Ｓ）による遊技を可能とするための遊技用システムであって、
前記遊技点を記憶する遊技点記憶手段（遊技玉数カウンタ、遊技点数カウンタ）と、
前記遊技点を所定の持点（持玉、持点）に変換するための変換操作を行なう変換操作手段（計数ボタン２８，２８Ｓ）と、
前記変換操作手段の操作が検出されたことに基づいて、前記遊技点を前記持点に変換するための変換処理を実行する変換処理手段（図１２、図１３、払出制御部１７１、ＣＵ制御部３２３）と、
前記持点を記憶する持点記憶手段（図５のＣＵ側の「カード持玉数（計数玉）」、図４０の「カード持点数（計数遊技持点）」）と、 
前記持点を使用した所定の持点使用処理（オーダーサービス、持点共有）を実行するための持点使用操作が検出されたことに基づいて、前記持点記憶手段に記憶されている前記持点から前記持点使用処理に必要な点数を減点する減点手段（図１４〜図１６、オーダした商品の対価に相当する持点をＣＵ制御部３２３が減算する）と、
前記持点使用処理の実行中に前記変換操作手段が操作されたときには、該持点使用処理の実行中における前記変換処理の実行を禁止する禁止手段（図１４〜図１６、オーダーサービス中の計数処理を禁止するＣＵ制御部３２３）と、
遊技場での営業の終了が設定される設定手段と、
前記設定手段により営業の終了が設定された場合に前記遊技点を前記持点に変換するための終了時変換処理を実行する終了時変換処理手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段（図１４の「計数操作が出来るようになりましたので再操作して下さい」等のメッセージを表示する表示器３１２、５４、５１０等）をさらに含む。
【手続補正３】
【補正対象書類名】明細書
【補正対象項目名】００１０
【補正方法】変更
【補正の内容】
【００１０】
（２）  本発明の他の態様は、入賞の発生により所定の遊技点（遊技玉、遊技点）を付与する遊技機（Ｐ台２、Ｓ台２Ｓ）による遊技を可能とするための遊技点処理装置（ＣＵ３）であって、
前記遊技機が記憶している遊技点を所定の持点（持玉、持点）に変換するための変換操作（計数ボタン２８，２８Ｓによる操作）が行なわれたことに基づいて、前記遊技点を前記持点に変換するための変換処理を実行する変換処理手段（図１２、図１３、ＣＵ制御部３２３）と、
前記持点を記憶する持点記憶手段（図５のＣＵ側の「カード持玉数（計数玉）」、図４０の「カード持点数（計数遊技持点）」）と、
前記持点を使用した所定の持点使用処理（オーダーサービス、持点共有）を実行するための持点使用操作が検出されたことに基づいて、前記持点記憶手段に記憶されている前記持点から前記持点使用処理に必要な点数を減点する減点手段（図１４〜図１６、オーダした商品の対価に相当する持点をＣＵ制御部３２３が減算する）と、
前記持点使用処理の実行中に前記変換操作が行なわれたときには、該持点使用処理の実行中における前記変換処理の実行を禁止する禁止手段（図１４〜図１６、オーダーサービス中の計数処理を禁止するＣＵ制御部３２３）と、
遊技場での営業の終了が設定される設定手段と、
前記設定手段により営業の終了が設定された場合に前記遊技点を前記持点に変換するための終了時変換処理を実行する終了時変換処理手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段（図１４の「計数操作が出来るようになりましたので再操作して下さい」等のメッセージを表示する表示器３１２、５４、５１０等）をさらに含む。
【手続補正４】
【補正対象書類名】明細書
【補正対象項目名】００１９
【補正方法】変更
【補正の内容】
【００１９】
上記の構成によれば、記録媒体処理操作によって、持点処理と記録媒体の返却処理とが併せて行なわれるため、遊技を終了する際の遊技者の操作が楽になる。
（７）  本発明の他の態様は、入賞の発生により遊技点（遊技玉、遊技点）を付与する遊技機（Ｐ台２、Ｓ台２Ｓ）による遊技を可能とするための遊技用システムであって、
前記遊技点を記憶する遊技点記憶手段（遊技玉数カウンタ、遊技点数カウンタ）と、
前記遊技機に設けられ、前記遊技点を持点（持玉、持点）に変換するための変換操作を行なう変換操作手段（計数ボタン２８，２８Ｓ）と、
前記変換操作手段の操作が検出されたことに基づいて、前記遊技点を前記持点に変換するための変換処理を実行する変換処理手段（図１２、図１３、払出制御部１７１、ＣＵ制御部３２３）と、
前記持点を記憶する持点記憶手段（図５のＣＵ側の「カード持玉数（計数玉）」、図４０の「カード持点数（計数遊技持点）」）と、
前記持点を使用した持点使用処理（オーダーサービス、持点共有）を実行するための持点使用操作が検出されたことに基づいて、前記持点記憶手段に記憶されている前記持点から前記持点使用処理に必要な点数を減点する減点手段（図１４〜図１６、オーダーした商品の対価に相当する持点をＣＵ制御部３２３が減算する）と、
前記持点使用処理の実行中に前記変換操作手段が操作されたときには、該持点使用処理の実行中における前記変換処理の実行を禁止する禁止手段（図１４〜図１６、オーダーサービス中の計数処理を禁止するＣＵ制御部３２３）と、
記録媒体を受付ける記録媒体受付手段と、
記録媒体処理操作を検出したときに、前記持点記憶手段に記憶されている前記持点を前記記録媒体受付手段で受付けた前記記録媒体から特定可能とする特定可能化処理を行い、前記記録媒体を返却する記録媒体返却手段と、
前記記録媒体処理操作を検出したときに、前記遊技点記憶手段に前記遊技点が記憶されている場合、前記遊技点を前記持点に変換するための前記変換操作を促す変換操作報知手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段（図１４の「計数操作が出来るようになりましたので再操作して下さい」等のメッセージを表示する表示器３１２、５４、５１０等）をさらに含む。
（８）  本発明の他の態様は、入賞の発生により遊技点（遊技玉、遊技点）を付与する遊技機（Ｐ台２、Ｓ台２Ｓ）による遊技を可能とするための遊技点処理装置（ＣＵ３）であって、
前記遊技機に設けられた変換操作手段により前記遊技機が記憶している遊技点を持点（持玉、持点）に変換するための変換操作（計数ボタン２８，２８Ｓによる操作）が行なわれたことに基づいて、前記遊技点を前記持点に変換するための変換処理を実行する変換処理手段（図１２、図１３、ＣＵ制御部３２３）と、
前記持点を記憶する持点記憶手段（図５のＣＵ側の「カード持玉数（計数玉）」、図４０の「カード持点数（計数遊技持点）」）と、
前記持点を使用した持点使用処理（オーダーサービス、持点共有）を実行するための持点使用操作が検出されたことに基づいて、前記持点記憶手段に記憶されている前記持点から前記持点使用処理に必要な点数を減点する減点手段（図１４〜図１６、オーダーした商品の対価に相当する持点をＣＵ制御部３２３が減算する）と、
前記持点使用処理の実行中に前記変換操作が行なわれたときには、該持点使用処理の実行中における前記変換処理の実行を禁止する禁止手段（図１４〜図１６、オーダーサービス中の計数処理を禁止するＣＵ制御部３２３）と、
記録媒体を受付ける記録媒体受付手段と、
記録媒体処理操作を検出したときに、前記持点記憶手段に記憶されている前記持点を前記記録媒体受付手段で受付けた前記記録媒体から特定可能とする特定可能化処理を行い、前記記録媒体を返却する記録媒体返却手段と、
前記記録媒体処理操作を検出したときに、前記遊技機に前記遊技点が記憶されている場合、前記遊技点を前記持点に変換するための前記変換操作を促す変換操作報知手段とを含み、
前記変換処理手段は、前記変換操作手段を操作した時間に応じて前記遊技点を前記持点に変換する点数が異なり、
前記禁止手段により持点使用処理の実行中における前記変換処理の実行が禁止されたときに、当該持点使用処理が終了した後に再度前記変換操作を行なうように促す報知を行なう報知手段（図１４の「計数操作が出来るようになりましたので再操作して下さい」等のメッセージを表示する表示器３１２、５４、５１０等）をさらに含む。